(57)【要約】【課題】首元や脇下を効率的に冷却することができ、好適に着用できる空調衣服を実現する。【解決手段】この空調衣服１００であれば、送風手段５０によって服本体１０内に取り込まれた空気が使用者の首元や脇に当たり易く、好適に身体を冷却することができるので、好適に着用することができる。また、この空調衣服１００を袖まくりして着用する場合、長袖状の袖部２の二の腕部分に設けられたファスナーによって構成されている排出口２１を開いた状態に切り替えるようにすれば、送風手段５０によって服本体１０内に取り込まれた空気は主に、袖部２の排出口２１とフード部３の開口３ａから排出されるように流通するようになって、好適に身体を冷却することができるので、袖まくりした態様でも好適に着用することができる。【選択図】図１
2020070504.tif 000002
【特許請求の範囲】
【請求項１】
使用者の身体のうち少なくとも上半身を覆う服本体と、
前記服本体と身体又は下着との間の空間に空気を流通させるための送風手段と、を備えた空調衣服であって、
前記送風手段は、前記服本体のアームホールの最下点よりも上に位置する箇所のみに配設されていることを特徴とする空調衣服。
【請求項２】
前記服本体は、前記使用者の胴を覆う胴体部と、前記アームホールに縫着されて前記使用者の腕を覆う一対の袖部を有しており、
前記袖部は長袖状の袖部であり、その長袖状の袖部が二の腕を覆う部分には、前記空間を流通した空気を排出するための排出口が開閉可能に設けられていることを特徴とする請求項１に記載の空調衣服。
【請求項３】
前記排出口は、前記袖部における前記胴体部と対向する位置に設けられていることを特徴とする請求項２に記載の空調衣服。
【請求項４】
開閉可能な前記排出口は、ファスナーにより構成されていることを特徴とする請求項２又は３に記載の空調衣服。
【請求項５】
前記胴体部の背面側における前記一対の袖部の縫着箇所よりも下側には、横方向に延在し、前記胴体部の厚み方向の寸法を調整可能な襠部が設けられていることを特徴とする請求項１〜４のいずれか一項に記載の空調衣服。
【発明の詳細な説明】
【技術分野】
【０００１】
本発明は、身体又は下着の表面に空気の流れを発生させることによって身体を冷却する空調衣服に関する。
【背景技術】
【０００２】
近年、身体又は下着の表面と略平行に大量の外気を流通させることにより身体から出た汗を蒸発させて、身体を冷却する空調衣服が実用化されている（例えば、特許文献１参照。）。
この空調衣服では、ファンの駆動によって服本体と身体又は下着との間の空間に送り込んだ空気が、主に首周りの開口部や両方の袖口の開口部から外部に排出されるようになっている。
【先行技術文献】
【特許文献】
【０００３】
【特許文献１】特許第６３８２３１４号公報
【発明の概要】
【発明が解決しようとする課題】
【０００４】
しかしながら、上記特許文献１の空調衣服の場合、空調衣服の裾側にファンが配設されているため、外部から取り込んだ空気が身体の腰部や腹部に当たり易く、また前屈み姿勢時においては首周りや両方の袖口の開口部から排出され難い態様になっている。
本発明者らは、人体の構造上、脈拍が取れるような皮膚が薄い箇所、例えば、首元や脇など血管が皮膚表面に近い部分を効率的に冷やすことで身体を冷却することができることに着目し、より好適に着用できる空調衣服を開発するに至った。
【０００５】
本発明の目的は、首元や脇下を効率的に冷却することができ、好適に着用できる空調衣服を提供することである。
【課題を解決するための手段】
【０００６】
上記目的を達成するため、この発明は、
使用者の身体のうち少なくとも上半身を覆う服本体と、
前記服本体と身体又は下着との間の空間に空気を流通させるための送風手段と、を備えた空調衣服であって、
前記送風手段は、前記服本体のアームホールの最下点よりも上に位置する箇所のみに配設されていることを特徴とする。
【０００７】
かかる構成の空調衣服であれば、送風手段によって服本体内に取り込まれた空気が使用者の背中から首元に当たり易いので、好適に身体を冷却することができる。また、送風手段によって服本体内に取り込まれた空気が脇側や両方の袖口へ流通し易くなるので、好適に身体を冷却することができる。
このように、好適に身体を冷却することができる空調衣服であれば、好適に着用することができる。
【０００８】
また、望ましくは、
前記服本体は、前記使用者の胴を覆う胴体部と、前記アームホールに縫着されて前記使用者の腕を覆う一対の袖部を有しており、
前記袖部は長袖状の袖部であり、その長袖状の袖部が二の腕（上腕）を覆う部分には、前記空間を流通した空気を排出するための排出口が開閉可能に設けられているようにする。
【０００９】
この空調衣服を袖まくりして着用した場合、二の腕を覆う部分に設けられている排出口を開いた状態に切り替えるようにすれば、送風手段によって服本体内に取り込まれた空気が長袖状の袖部の排出口から排出されるように流通するようになる。
例えば、空調衣服の長袖状の袖部を袖口側から折り返すなどして、肘の辺りまでまくり上げて着用した場合、送風手段によって服本体内に送り込まれた空気を腕側から排出する開口部（ここでは袖口）が塞がれてしまい、空気の流通が滞ってしまうことがある。
そこで、この空調衣服のように長袖状の袖部が二の腕を覆う部分に開閉可能な排出口を設けておけば、空調衣服を袖まくりして着用した場合でも、袖部の排出口から空気を排出するように流通させることができるので、好適に身体を冷却することができる。
また、この空調衣服であれば、長袖状態での着用時に肘を曲げた姿勢が長時間に亘ることがあっても、開いた状態に切り替えた袖部の排出口から空気を排出するように流通させることができるので、好適に身体を冷却することができる。
このように、長袖状の袖部が二の腕を覆う部分に開閉可能な排出口が設けられている空調衣服であれば、袖まくりした場合でも肘を曲げた姿勢が長時間に亘る場合でも好適に着用することができる。
【発明の効果】
【００１０】
本発明によれば、首元や脇下を効率的に冷却することができ、好適に着用できる空調衣服が得られる。
【図面の簡単な説明】
【００１１】
【図１】本実施形態の空調衣服を示す正面図（ａ）と背面図（ｂ）である。
【図２】本実施形態の空調衣服を示す正面図であり、空調衣服を袖まくりして着用した状態を示している。
【発明を実施するための形態】
【００１２】
以下、図面を参照して、本発明に係る空調衣服の実施形態について詳細に説明する。但し、以下に述べる実施形態には、本発明を実施するために技術的に好ましい種々の限定が付されているが、本発明の範囲を以下の実施形態及び図示例に限定するものではない。
【００１３】
本実施形態の空調衣服１００は、例えば、図１（ａ）（ｂ）に示すように、使用者の身体のうち少なくとも上半身を覆う服本体１０と、服本体１０と身体又は下着との間の空間に空気を流通させるための送風手段５０等を備えて構成されている。
なお、図１（ａ）（ｂ）では、空調衣服１００を袖まくりせずに着用した状態を示している。
【００１４】
服本体１０は、通気性の小さな又は通気性の無いシート状素材で、使用者の上半身を覆うような形状に形成されている。
具体的には、この服本体１０は、使用者の胴を覆う胴体部１と、使用者の腕を覆う一対の袖部２と、使用者の頭を覆うフード部３と、を有している。
本実施形態の空調衣服１００は、長袖状の袖部２（長袖部）を有している。
なお、袖部２は、胴体部１（服本体１０）のアームホールに縫着されている。
【００１５】
この服本体１０（胴体部１）の裾部１１には、例えばゴム等、伸縮性のある部材が取り付けられている。これにより、服本体１０の裾部１１は絞り込まれて身体側に密着するようになる。
また、この空調衣服１００は前開きタイプであり、服本体１０（胴体部１）の前身頃はファスナーによって開閉されるようになっている。なお、そのファスナーが比翼１２によって隠された態様を図示している。
【００１６】
一対の袖部２は、胴体部１の上部両側に縫着されている。
この袖部２の袖口２ａは、送風手段５０によって服本体１０内に送り込まれて流通した空気を排出する開口部として機能する。
特に、使用者の腕を覆う長袖状の袖部２が二の腕（上腕）を覆う部分には、服本体１０内の空間を流通した空気を排出するための排出口２１が開閉可能に設けられている。
この排出口２１は、袖部２における胴体部１と対向する位置に設けられている。
換言すれば、この排出口２１は、空調衣服１００の脇下における袖部２側に設けられている。
そして、この開閉可能な排出口２１は、ファスナーにより構成されている。
なお、ここではファスナーにより構成されている排出口２１を例に説明したが、ファスナー以外の開閉機能を有する部材により構成された排出口２１であってもよい。
【００１７】
フード部３は、胴体部１の首周りに縫着されている。
このフード部３の開口３ａは、送風手段５０によって服本体１０内に送り込まれて流通した空気を排出する開口部として機能する。
なお、このフード部３で使用者の頭部を覆い、その開口３ａから顔を出すように着用した態様を図示したが、フード部３で使用者の頭部を覆わずに、フード部３を後頭部側に下ろすようにすれば、そのフード部３を立ち襟として着用することができる。
また、使用者がヘルメットを装着している場合、フード部３でヘルメットを覆うように着用すればよい。この場合、ヘルメットと頭部の間に空気が送り込まれ、ヘルメットの前部のつばから空気が排出されるようになる。
【００１８】
送風手段５０は、空気を外部から取り込むことにより服本体１０と身体又は下着との間に空気流通路を形成し、その空気流通路内に空気の流れを強制的に生じさせるものである。
２つの送風手段５０，５０は、服本体１０の後ろ身頃の上部に左右に対を成して取り付けられている。具体的には、送風手段５０は、胴体部１の背面側であって、一対の袖部２の縫着箇所の間に位置するように配設されている。
換言すれば、送風手段５０は、服本体１０のアームホールの最下点よりも上に位置する箇所に配設されており、空調衣服１００の着用時に使用者の脇下よりも上に位置する箇所に配設されている。
このように、送風手段５０を袖部２の付け根に近い位置に配設することで、首元や袖部２側へ空気を送り込み易くなっている。
【００１９】
特に、送風手段５０を、服本体１０（胴体部１）の後ろ身頃の上部に配設することで、送風手段５０によって服本体１０内に取り込んだ外部の空気を首元や両方の袖口に行き渡らせ易くなっている。具体的には、服本体１０の後ろ身頃の上部に配設されている送風手段５０によって服本体１０内に外部の空気が取り込まれると、その空気は袖部２側（袖口側）へ送り込まれるとともに、フード部３側（首元側）や服本体１０の裾部１１側へ送り込まれて、服本体１０内の全体に行き渡るようになる。
これに対し、従来技術（上記特許文献１）の空調衣服のように、服本体１０の後ろ身頃の下部である裾部１１側に送風手段が配設されていると、その送風手段によって服本体１０内に取り込んだ外部の空気は、胴体部１の下部から上部へ送られた後、袖部２側やフード部３側へ送り込まれるようになるので、例えば胴体部１の上部へ空気を送り難くなる前屈みの姿勢が長時間続く場合に、袖部２側やフード部３側に十分な空気が送り込まれ難くなってしまうおそれがある。
つまり、従来技術（上記特許文献１）の空調衣服のように、服本体１０と身体又は下着との間の空気流通路の端に送風手段が配設されているよりも、本実施形態の空調衣服１００のように、空気流通路の中央側に送風手段５０が配設されている方が、空気流通路の隅々まで、特に首元や両方の袖口に空気を良好に送り易く、好適に身体を冷却することが可能になる。
【００２０】
この送風手段５０としては、プロペラを有するファン装置を用いている。
なお、送風手段５０に電力を供給するための電源手段（不図示）は、例えば、服本体１０の内ポケット（不図示）に収納されている。
電源手段は、例えばバッテリーを内蔵した電源装置であり、電源手段と２つの送風手段５０，５０とは電源ケーブルにより電気的に接続されている。
【００２１】
また、図１（ｂ）に示すように、この空調衣服１００の服本体１０の背面側中央には、胴体部１からフード部３に亘る部分に、服本体１０の生地に弛みを持たせるように形成された弛み部１３が設けられている。
この弛み部１３は、縦方向（上下方向）に延在するように服本体１０に設けられた一対の縦襠部１３ａの間に立体的に形成されている。
そして、送風手段５０によって外部の空気が服本体１０内に取り込まれると、その取り込まれた空気により弛み部１３は服本体１０の外側に膨らんで、胴体部１からフード部３への空気流通路になる。
【００２２】
また、図１（ｂ）に示すように、この空調衣服１００の服本体１０（胴体部１）の背面側の両サイドには、縦方向（上下方向）に延在するようにサイド襠部１４が設けられている。
このサイド襠部１４は、胴体部１の背面側であって、袖部２の縫着箇所と送風手段５０の取り付け箇所の間に設けられており、その部分の厚み方向の寸法を調整可能にしている。
そして、送風手段５０によって外部の空気が服本体１０内に取り込まれると、その取り込まれた空気により、送風手段５０の取り付け箇所辺りが外側に膨らむことで、送風手段５０が使用者の身体から離れ易くなり、送風手段５０による圧迫感が低減するので、空調衣服１００の着用感が向上する。
【００２３】
また、図１（ｂ）に示すように、この空調衣服１００の服本体１０（胴体部１）の背面側における上下方向略中央の位置には、横方向（左右方向）に延在するように横襠部１５が設けられている。具体的には、横襠部１５は、胴体部１の背中側における一対の袖部２の縫着箇所よりも下側に設けられている。
この横襠部１５は、胴体部１の厚み方向の寸法を調整可能とする襠部である。
そして、送風手段５０によって外部の空気が服本体１０内に取り込まれると、その取り込まれた空気により、横襠部１５が厚み方向に広がることで送風手段５０が使用者の身体から離れ易くなり、送風手段５０による圧迫感が低減するので、空調衣服１００の着用感が向上する。また、送風手段５０によって服本体１０内に取り込まれた空気が首元や袖部２に流通し易くなる。
【００２４】
このように、本実施形態の空調衣服１００を袖まくりせずに着用した場合、送風手段５０によって服本体１０内に取り込まれた空気は主に、袖部２の袖口２ａとフード部３の開口３ａから排出されるように流通するので、好適に身体を冷却することができる。
【００２５】
特に、この空調衣服１００における送風手段５０は、胴体部１の背面側であって、一対の袖部２の縫着箇所の間に位置するように配設されているので、送風手段５０によって服本体１０内に取り込まれた空気が使用者の背中から首元に当たり易くなっており、好適に身体を冷却することができる。また、送風手段５０によって服本体１０内に取り込まれた空気が使用者の脇側や両方の袖口へ流通し易くなるので、好適に身体を冷却することができる。
なお、送風手段５０によって服本体１０内に取り込まれた空気が使用者の腰部や腹部に直接当たり難くしたことで、腰部や腹部を冷やし過ぎないようになっており、腰痛持ちの方の腰痛を悪化させたり、腹部の冷やし過ぎによる腹痛を起こしたりし難くなっている。
【００２６】
また、建設業においては作業道具類を腰回りの収納部に収納しているため、送風手段５０を身頃の上部に配設したことで、その取り出し時などに送風手段５０が邪魔になることなく作業することができる。
また、送風手段５０が身頃の上部に配設されていれば、背もたれ付きの椅子に着座した場合に、送風手段５０が背もたれと背中に挟まれ難くなり、好適に着座できる。
【００２７】
このように、好適に身体を冷却することができる空調衣服１００であれば、好適に着用することができる。
【００２８】
次に、本実施形態の空調衣服１００を袖まくりして着用する場合について説明する。
【００２９】
例えば、作業環境や作業内容によっては空調衣服１００の長袖状の袖部２をまくって着用することがある。
図２に示すように、袖部２を袖口２ａ側から折り返すなどして、肘の辺りまでまくり上げて着用した場合、送風手段５０によって服本体１０内に送り込まれて流通した空気を腕側から排出する開口部が塞がれてしまう。
そこで、この空調衣服１００を袖まくりして着用する場合には、図２に示すように、空調衣服１００の脇下における袖部２側に設けられているファスナーを下ろし、そのファスナーにより構成されている排出口２１を開くようにする。
こうすることで、袖部２の袖口２ａが折り込まれて塞がれてしまった開口部に代わって、排出口２１から空気を排出することが可能になるため、胴体部１から袖部２への空気流通路が確保されるので、送風手段５０によって服本体１０内に取り込まれた空気が袖部２側へ送り込まれるようになる。
【００３０】
このように、本実施形態の空調衣服１００を袖まくりして着用した場合、袖部２の排出口２１を開いた状態に切り替えるようにすれば、送風手段５０によって服本体１０内に取り込まれた空気は主に、袖部２の排出口２１とフード部３の開口３ａから排出されるように流通し、好適に身体を冷却することができるので、この空調衣服１００であれば、袖まくりしても好適に着用することができる。
特に、袖部２の排出口２１が、空調衣服１００の脇下側に設けられているので、身体の蒸れ易い箇所に空気を流通させることで蒸れた空気を排出させ易くなっており、血管が皮膚表面に近い脇下を効率的に冷やすようにして、好適に身体を冷却することができる。
【００３１】
以上のように、本実施形態の空調衣服１００は、袖まくりした状態でも袖まくりしない状態でも、送風手段５０によって服本体１０内に取り込んだ空気を好適に流通させて排出するようにして身体を冷却することができるので、どちらの状態でも好適に着用することができる。
【００３２】
また、この空調衣服１００では、送風手段５０を服本体１０（胴体部１）の後ろ身頃の上部に配設して、空気流通経路の中央側であって空気流通経路の分岐近傍から服本体１０内に外部の空気を取り込むようにしているので、送風手段５０によって服本体１０内に取り込んだ外部の空気を首元や両方の袖口に行き渡らせ易くなっており、より好適に身体を冷却することができる。
なお、ここでいう空気流通経路の分岐近傍とは、一対の袖部２の縫着箇所とフード部３の縫着箇所のそれぞれに近い位置のことである。
【００３３】
また、この空調衣服１００の服本体１０（胴体部１）の背面側における上下方向略中央の位置には、胴体部１の厚み方向の寸法を調整可能な横襠部１５が設けられているので、送風手段５０によって服本体１０内に取り込まれた空気により、横襠部１５が厚み方向に広がるようになっている。この横襠部１５が厚み方向に広がることで、送風手段５０によって服本体１０内に取り込まれた空気が首元や袖部２に流通し易くなる。
つまり、しゃがんだ姿勢や前屈みの姿勢など、背筋に空気を送り難くなるような姿勢をとっても、送風手段５０によって服本体１０内に取り込まれた空気が背筋を通り首元へ流通させることができるので、そのような姿勢であっても身体を冷却することができる。
【００３４】
なお、本発明は上記実施形態に限られるものではない。
本実施形態の空調衣服１００であれば、空調衣服１００の長袖状の袖部２を袖まくりせずに長袖状態で着用したときに、肘を曲げた姿勢が長時間に亘ることがあっても、開いた状態に切り替えた袖部２の排出口２１から空気を排出するように流通させることができるので、好適に身体を冷却することができる。
つまり、空調衣服１００を袖まくりせずに長袖状態で着用したときに、肘を曲げた姿勢が長時間に亘ることがあっても、好適に身体を冷却することができるので、この空調衣服１００を好適に着用することができる。
【００３５】
なお、以上の実施の形態においては、開閉可能な排出口２１は袖部２における胴体部１と対向する位置（空調衣服１００の脇下側で二の腕の内側に相当する位置）に設けられているとしたが、本発明はこれに限定されるものではなく、例えば、袖部２における二の腕の外側に相当する位置に排出口２１が設けられていてもよい。
【００３６】
また、以上の実施の形態においては、排出口２１を構成するファスナーを脇側から肘側に下ろして、その排出口２１を開くように図示したが、本発明はこれに限定されるものではなく、肘側から脇側にファスナーを下ろして排出口２１を開く向きに、その排出口２１を構成するファスナーを袖部２に設けるようにしてもよい。
【００３７】
また、以上の実施の形態においては、長袖状の袖部２を有している空調衣服１００を例に説明したが、本発明はこれに限定されるものではなく、半袖状の袖部２を有している空調衣服１００であってもよい。
半袖状の袖部２を有している空調衣服１００においても、送風手段５０が一対の袖部２の縫着箇所の間に位置するように配設されていれば、送風手段５０によって服本体１０内に取り込まれた空気が使用者の首元や脇に当たり易く、好適に身体を冷却することができるので、好適に着用することができる。
また、袖部２を有していないベスト形状（ノースリーブ形状）の空調衣服１００であってもよい。
【００３８】
また、以上の実施形態においては、フード部３を有している空調衣服１００を例に説明したが、本発明はこれに限定されるものではなく、首回りが襟形状やタチエリ形状などフード形状ではない空調衣服１００であってもよい。首回りがフード形状ではない空調衣服１００においても送風手段５０が一対の袖部２の縫着箇所の間に位置するように配設されていれば、送風手段５０によって服本体１０内に取り込まれた空気が使用者の首元や脇に当たり易く、好適に身体を冷却することができるので、好適に着用することができる。
【００３９】
また、その他、具体的な細部構造等についても適宜に変更可能であることは勿論である。
【符号の説明】
【００４０】
１      胴体部
１１    裾部
１２    比翼
１３    弛み部
１３ａ  縦襠部
１４    サイド襠部
１５    横襠部（襠部）
２      袖部（一対の袖部）
２ａ    袖口
２１    排出口
３      フード部
３ａ    開口
１０    服本体
５０    送風手段
１００  空調衣服
【図１】
2020070504.tif 000003
【図２】
2020070504.tif 000004
【手続補正書】
【提出日】令和1年5月21日(2019.5.21)
【手続補正１】
【補正対象書類名】明細書
【補正対象項目名】０００６
【補正方法】変更
【補正の内容】
【０００６】
上記目的を達成するため、この発明は、
使用者の身体のうち少なくとも上半身を覆う服本体と、
前記服本体と身体又は下着との間の空間に空気を流通させるための送風手段と、
前記服本体の厚み方向の寸法を調整可能な襠部と、を備えた空調衣服であって、
前記送風手段は、前記服本体の背面側であってアームホールの最下点よりも上に位置する箇所のみに配設され、
前記襠部は前記送風手段に隣接されていることを特徴とする。
【手続補正２】
【補正対象書類名】明細書
【補正対象項目名】０００８
【補正方法】変更
【補正の内容】
【０００８】
また、望ましくは、
使用者の身体のうち少なくとも上半身を覆う服本体と、
前記服本体と身体又は下着との間の空間に空気を流通させるための送風手段と、を備えた空調衣服であって、
前記送風手段は、前記服本体のアームホールの最下点よりも上に位置する箇所のみに配設され、
前記服本体は、前記使用者の胴を覆う胴体部と、前記アームホールに縫着されて前記使用者の腕を覆う一対の袖部を有しており、
前記袖部は長袖状の袖部であり、その長袖状の袖部が二の腕（上腕）を覆う部分には、前記空間を流通した空気を排出するための排出口が開閉可能に設けられているようにする。
【手続補正３】
【補正対象書類名】特許請求の範囲
【補正対象項目名】全文
【補正方法】変更
【補正の内容】
【特許請求の範囲】
【請求項１】
使用者の身体のうち少なくとも上半身を覆う服本体と、
前記服本体と身体又は下着との間の空間に空気を流通させるための送風手段と、
前記服本体の厚み方向の寸法を調整可能な襠部と、を備えた空調衣服であって、
前記送風手段は、前記服本体の背面側であってアームホールの最下点よりも上に位置する箇所のみに配設され、
前記襠部は前記服本体の背面側に設けられていることを特徴とする空調衣服。
【請求項２】
使用者の身体のうち少なくとも上半身を覆う服本体と、
前記服本体と身体又は下着との間の空間に空気を流通させるための送風手段と、を備えた空調衣服であって、
前記送風手段は、前記服本体のアームホールの最下点よりも上に位置する箇所のみに配設され、
前記服本体は、前記使用者の胴を覆う胴体部と、前記アームホールに縫着されて前記使用者の腕を覆う一対の袖部を有しており、
前記袖部は長袖状の袖部であり、その長袖状の袖部が二の腕を覆う部分には、前記空間を流通した空気を排出するための排出口が開閉可能に設けられていることを特徴とする空調衣服。
【請求項３】
前記襠部は、前記服本体の背面側であって二つのアームホール間に位置する箇所に縦方向に延在する第１襠部を備えることを特徴とする請求項１に記載の空調衣服。
【請求項４】
前記襠部は、前記服本体の背面側であってアームホールの最下点よりも下に位置する箇所に横方向に延在する第２襠部を備えることを特徴とする請求項１に記載の空調衣服。
【請求項５】
前記襠部は、前記服本体の背面側であって二つのアームホールの間に位置する箇所に縦方向に延在する第１襠部と、前記服本体の背面側えあってアームホールの最下点よりも下に位置する箇所に横方向に延在する第２襠部を備えることを特徴とする請求項１に記載の空調衣服。
【請求項６】
前記排出口は、前記袖部における前記胴体部と対向する位置に設けられていることを特徴とする請求項２に記載の空調衣服。
【請求項７】
開閉可能な前記排出口は、ファスナーにより構成されていることを特徴とする請求項２又は６に記載の空調衣服。
【手続補正書】
【提出日】令和1年9月20日(2019.9.20)
【手続補正１】
【補正対象書類名】明細書
【補正対象項目名】０００６
【補正方法】変更
【補正の内容】
【０００６】
上記目的を達成するため、この発明は、
使用者の身体のうち少なくとも上半身を覆う服本体と、
前記服本体と身体又は下着との間の空間に空気を流通させるための送風手段と、を備えた空調衣服であって、
前記送風手段は、前記服本体の背面側であってアームホールの最下点よりも上に位置する箇所のみに配設されるとともに、
前記送風手段によって空気が流通した際に、前記送風手段を身体又は下着から離間させるために前記服本体の背面側に前記服本体の厚み方向の寸法を調整可能な襠部が設けられていることを特徴とする。
【手続補正２】
【補正対象書類名】明細書
【補正対象項目名】０００８
【補正方法】変更
【補正の内容】
【０００８】
また、望ましくは、
使用者の身体のうち少なくとも上半身を覆う服本体と、
前記服本体と身体又は下着との間の空間に空気を流通させるための送風手段と、を備えた空調衣服であって、
前記送風手段は、前記服本体のアームホールの最下点よりも上に位置する箇所のみに配設されるとともに、
前記服本体は、前記使用者の胴を覆う胴体部と、前記アームホールに縫着されて前記使用者の腕を覆う一対の袖部と、を有し、
前記袖部の二の腕（上腕）を覆う部分には、前記空間を流通した空気を排出するための排出口が開閉可能に設けられているようにする。
【手続補正３】
【補正対象書類名】特許請求の範囲
【補正対象項目名】全文
【補正方法】変更
【補正の内容】
【特許請求の範囲】
【請求項１】
使用者の身体のうち少なくとも上半身を覆う服本体と、
前記服本体と身体又は下着との間の空間に空気を流通させるための送風手段と、を備えた空調衣服であって、
前記送風手段は、前記服本体の背面側であってアームホールの最下点よりも上に位置する箇所のみに配設されるとともに、
前記送風手段によって空気が流通した際に、前記送風手段を身体又は下着から離間させるために前記服本体の背面側に前記服本体の厚み方向の寸法を調整可能な襠部が設けられていることを特徴とする空調衣服。
【請求項２】
使用者の身体のうち少なくとも上半身を覆う服本体と、
前記服本体と身体又は下着との間の空間に空気を流通させるための送風手段と、を備えた空調衣服であって、
前記送風手段は、前記服本体のアームホールの最下点よりも上に位置する箇所のみに配設されるとともに、
前記服本体は、前記使用者の胴を覆う胴体部と、前記アームホールに縫着されて前記使用者の腕を覆う一対の袖部と、を有し、
前記袖部の二の腕を覆う部分には、前記空間を流通した空気を排出するための排出口が開閉可能に設けられていることを特徴とする空調衣服。
【請求項３】
前記襠部は、前記服本体の背面側であって二つのアームホール間に位置する箇所に縦方向に延在する第１襠部を備えることを特徴とする請求項１に記載の空調衣服。
【請求項４】
前記襠部は、前記服本体の背面側であってアームホールの最下点よりも下に位置する箇所に横方向に延在する第２襠部を備えることを特徴とする請求項１に記載の空調衣服。
【請求項５】
前記襠部は、前記服本体の背面側であって二つのアームホールの間に位置する箇所に縦方向に延在する第１襠部と、前記服本体の背面側えあってアームホールの最下点よりも下に位置する箇所に横方向に延在する第２襠部を備えることを特徴とする請求項１に記載の空調衣服。
【請求項６】
前記排出口は、前記袖部における前記胴体部と対向する位置に設けられていることを特徴とする請求項２に記載の空調衣服。
【請求項７】
開閉可能な前記排出口は、ファスナーにより構成されていることを特徴とする請求項２又は６に記載の空調衣服。
【請求項８】
前記袖部は長袖状の袖部であることを特徴とする請求項２に記載の空調衣服。
【請求項９】
前記袖部は半袖状の袖部であることを特徴とする請求項２に記載の空調衣服。